(57)【要約】【課題】２つのＵＰＳとＳＴＳとを備えた２重化構成を持つ無停電電源システムにおいて、２系に共通の制御部を備えることなく、同期を確保する。【解決手段】実施形態に係る無停電電源システム１は、第１及び第２の電源系統とＳＴＳとを備える。第１及び第２の電源系統は、それぞれがバイパスとＵＰＳとのうちのいずれかから電力を供給する。第１のＵＰＳは、第１のバイパス及び第２のバイパスと電気的に接続されている。第１のＵＰＳは、第１のバイパスから電力が供給される場合に、第１のＵＰＳから供給される電力を、第１のバイパスから供給される電力に同期させる。第１のＵＰＳは、第１のバイパスから電力が供給されず、かつ、第２のバイパスから電力が供給される場合に、第１のＵＰＳから供給される電力を、第２のバイパスから供給される電力に同期させる。第１のＵＰＳは、第１のバイパスから電力が供給されず、かつ、第２のバイパスから電力が供給されない場合に、自走運転する。【選択図】      図１
2012186959.tif 000002
【特許請求の範囲】
【請求項１】
第１のバイパスと第１の無停電電源装置とのうちのいずれか一方から第１の電力を供給する第１の電源系統と、
第２のバイパスと第２の無停電電源装置とのうちのいずれか一方から第２の電力を供給する第２の電源系統と、
前記第１の電力と前記第２の電力とが同期している場合に、無瞬断切換を行う双方向無瞬断切換装置と
を具備し、
前記第１の無停電電源装置は、
前記第１のバイパス及び前記第２のバイパスと電気的に接続されており、
前記第１のバイパスから電力が供給される場合に、前記第１の無停電電源装置から供給される電力を、前記第１のバイパスから供給される電力に同期させ、
前記第１のバイパスから電力が供給されず、かつ、前記第２のバイパスから電力が供給される場合に、前記第１の無停電電源装置から供給される電力を、前記第２のバイパスから供給される電力に同期させ、
前記第１のバイパスから電力が供給されず、かつ、前記第２のバイパスから電力が供給されない場合に、自走運転し、
前記第２の無停電電源装置は、
前記第１のバイパス及び前記第２のバイパスと電気的に接続されており、
前記第２のバイパスから電力が供給される場合に、前記第２の無停電電源装置から供給される電力を、前記第２のバイパスから供給される電力に同期させ、
前記第２のバイパスから電力が供給されず、かつ、前記第１のバイパスから電力が供給される場合に、前記第２の無停電電源装置から供給される電力を、前記第１のバイパスから供給される電力に同期させ、
前記第２のバイパスから電力が供給されず、かつ、前記第１のバイパスから電力が供給されない場合に、自走運転する
ことを特徴とする無停電電源システム。
【請求項２】
請求項１記載の無停電電源システムにおいて、
前記第１の電源系統は、前記第１のバイパスと複数の前記第１の無停電電源装置とを並列に備え、前記第１のバイパスと複数の前記第１の無停電電源装置とのうちのいずれかから前記第１の電力を供給する
ことを特徴とする無停電電源システム。
【請求項３】
第１の電源系統と第２の電源系統とを含む無停電電源システムを制御するプログラムにおいて、
前記第１の電源系統は、第１のバイパスと第１の無停電電源装置とのうちのいずれか一方から第１の電力を供給し、
前記第２の電源系統は、第２のバイパスと第２の無停電電源装置とのうちのいずれか一方から第２の電力を供給し、
前記無停電電源システムは、前記第１の電源系統と、前記第２の電源系統と、前記第１の電力と前記第２の電力とが同期している場合に無瞬断切換を行う双方向無瞬断切換装置とを具備し、
前記第１の無停電電源装置及び前記第２の無停電電源装置とは、それぞれ前記第１のバイパス及び前記第２のバイパスと電気的に接続されており、
前記第１の無停電電源装置及び前記第２の無停電電源装置のそれぞれに、
自系のバイパスから電力が供給される場合に、自系の無停電電源装置から供給される電力を、前記自系のバイパスから供給される電力に同期させる機能、
前記自系のバイパスから電力が供給されず、かつ、他系のバイパスから電力が供給される場合に、前記自の無停電電源装置から供給される電力を、前記他系のバイパスから供給される電力に同期させる機能、
前記自系のバイパスから電力が供給されず、かつ、前記他系のバイパスから電力が供給されない場合に、自走運転させる機能
を実現させるプログラム。
【発明の詳細な説明】
【技術分野】
【０００１】
本発明の実施形態は、複数の電源系統を備えた無停電電源システム及びプログラムに関する。
【背景技術】
【０００２】
例えばデータセンターなどの設備においては、高信頼の電源を実現するために、無停電電源システムが用いられ、２つの無停電電源系統と、この２つの電源系統を無瞬断で切り換える双方向無瞬断切換装置（以下、ＳＴＳという）とが備えられる。
【０００３】
２つの電源系統のそれぞれは、バイパス部と無停電電源装置（以下、ＵＰＳという）とを含む。
【０００４】
ＳＴＳは、２つの電源系統の負荷側に設置される。ＳＴＳは、２つの電源系統から供給される電力の双方が同期している場合（２つの電源系統が同期動作している場合）には、２つの電源系統を無瞬断で切換可能である。しかしながら、一方の電源系統が故障等により停止し、片方停電が発生した場合、２つの電源系統のＳＴＳ側が非同期となり、ＳＴＳが停電した電源系統から健全な電源系統へ無瞬断で切換を行うことは、困難になる。
【０００５】
片方停電が発生した場合であっても２つの電源系統の同期を確保するために、２つの電源系統を同期制御する同期制御部を備える無停電電源システムが存在する。しかしながら、このような同期制御部は、２つの電源系統に対する共通の制御部であるため、無停電電源システムの二重化構成を維持することが困難になる。
【先行技術文献】
【特許文献】
【０００６】
【特許文献１】特許第４３２７０６０号公報
【発明の概要】
【発明が解決しようとする課題】
【０００７】
本発明の実施形態は、複数の電源系統に対する共通の制御部を備えることなく、ある電源系統に停電が発生した場合に複数の電源系統の同期を確保し、正常な電源系統へ無瞬断切換が可能な無停電電源システム及びプログラムを提供することを目的とする。
【課題を解決するための手段】
【０００８】
第１の実施形態によれば、無停電電源システムは、第１の電源系統、第２の電源系統、双方向無瞬断切換装置を具備する。
【０００９】
第１の電源系統は、第１のバイパスと第１の無停電電源装置とのうちのいずれか一方から第１の電力を供給する。
【００１０】
第２の電源系統は、第２のバイパスと第２の無停電電源装置とのうちのいずれか一方から第２の電力を供給する。
【００１１】
双方向無瞬断切換装置は、第１の電力と第２の電力とが同期している場合に、無瞬断切換を行う。
【００１２】
第１の無停電電源装置は、第１のバイパス及び第２のバイパスと電気的に接続されており、第１のバイパスから電力が供給される場合に、第１の無停電電源装置から供給される電力を、第１のバイパスから供給される電力に同期させ、第１のバイパスから電力が供給されず、かつ、第２のバイパスから電力が供給される場合に、第１の無停電電源装置から供給される電力を、第２のバイパスから供給される電力に同期させ、第１のバイパスから電力が供給されず、かつ、第２のバイパスから電力が供給されない場合に、自走運転する。
【００１３】
第２の無停電電源装置は、第１のバイパス及び第２のバイパスと電気的に接続されており、第２のバイパスから電力が供給される場合に、第２の無停電電源装置から供給される電力を、第２のバイパスから供給される電力に同期させ、第２のバイパスから電力が供給されず、かつ、第１のバイパスから電力が供給される場合に、第２の無停電電源装置から供給される電力を、第１のバイパスから供給される電力に同期させ、第２のバイパスから電力が供給されず、かつ、第１のバイパスから電力が供給されない場合に、自走運転する。
【図面の簡単な説明】
【００１４】
【図１】第１の実施形態に係る無停電電源システムの構成の一例を示すブロック図。
【図２】第１の実施形態に係る無停電電源システムに備えられているＡ系の同期制御部の処理の一例を示すフローチャート。
【図３】第１の実施形態に係る無停電電源システムに備えられているＢ系の動機制御部の処理の一例を示すフローチャート。
【図４】同期制御部の構成の一例を示すブロック図。
【図５】第１の実施形態に係る無停電電源システムの同期制御状態の一例を示すテーブル。
【図６】第１の実施形態に係る無停電電源システムの構成の変形例を示すブロック図。
【図７】従来の電源システムの第１の例を示すブロック図。
【図８】従来の電源システムの第２の例を示すブロック図。
【図９】従来の電源システムの同期制御状態の一例を示すテーブル。
【発明を実施するための形態】
【００１５】
以下、図面を参照しながら本発明の各実施の形態について説明する。なお、以下の説明において、略または実質的に同一の機能および構成要素については、同一符号を付し、必要に応じて説明を行う。
【００１６】
（第１の実施形態）
本実施形態においては、２つの電源系統の間で独立構成を実現しつつ、同期を行う無停電電源システムについて説明する。ここで、同期とは、複数の電圧及び電流の周期が整合していることをいうとする。
【００１７】
図１は、本実施形態に係る無停電電源システムの構成の一例を示すブロック図である。
【００１８】
無停電電源システム１は、Ａ系の電源系統２Ａ、Ｂ系の電源系統２Ｂ、ＳＴＳ３を具備する。
【００１９】
Ａ系の電源系統２Ａは、Ａ系のバイパス部４Ａ、蓄電機能を含むＡ系のＵＰＳ５Ａ、切換部６Ａを含む。Ａ系のバイパス部４ＡとＡ系のＵＰＳ５Ａとは、並列に備えられている。Ａ系のバイパス部４Ａの入力端は、商用電源７に接続されている。Ａ系のバイパス部４Ａの出力端とＡ系のＵＰＳ５Ａの出力端とは、それぞれＡ系の切換部６Ａの第１及び第２の入力端と接続されている。Ａ系の切換部６Ａの出力端は、ＳＴＳ３の第１の入力端に接続されている。切換部６Ａは、Ａ系のバイパス部４Ａからの電力の供給が正常の場合に、Ａ系のバイパス部４Ａからの電力をＳＴＳ４の第１の入力端に供給する。Ａ系の切換部６Ａは、Ａ系のバイパス部４Ａからの電力供給が停止された場合に、Ａ系のＵＰＳ５Ａからの電力をＳＴＳ４の第１の入力端に供給する。
【００２０】
Ｂ系の電源系統２Ｂも、Ａ系と同様の構成を持つ。具体的に説明すると、Ｂ系の電源系統２Ｂは、Ｂ系のバイパス部４Ｂ、蓄電機能を含むＢ系のＵＰＳ５Ｂ、切換部６Ｂを含む。Ｂ系のバイパス部４ＢとＢ系のＵＰＳ５Ｂとは、並列に備えられている。Ｂ系のバイパス部４Ｂの入力端は、商用電源７に接続されている。Ｂ系のバイパス部ＢＡの出力端とＢ系のＵＰＳ５Ｂの出力端とは、それぞれＢ系の切換部６Ｂの第１及び第２の入力端と接続されている。Ｂ系の切換部６Ｂの出力端は、ＳＴＳ３の第２の入力端に接続されている。切換部６Ｂは、Ｂ系のバイパス部４Ｂからの電力の供給が正常の場合に、Ｂ系のバイパス部４Ｂからの電力をＳＴＳ４の第２の入力端に供給する。Ｂ系の切換部６Ｂは、Ｂ系のバイパス部４Ｂからの電力供給が停止された場合に、Ｂ系のＵＰＳ５Ｂからの電力をＳＴＳ４の第２の入力端に供給する。
【００２１】
ＳＴＳ３は、Ａ系の電源系統２Ａから供給される電力と、Ｂ系の電源系統２Ｂから供給される電力とが同期する場合、Ａ系の電源系統２Ａから供給される電力と、Ｂ系の電源系統２Ｂから供給される電力とを無瞬断で切換可能である。そして、ＳＴＳ３は、Ａ系の電源系統２Ａから供給される電力と、Ｂ系の電源系統２Ｂから供給される電力とのうちのいずれかを、負荷８に供給する。
【００２２】
本実施形態において、Ａ系のＵＰＳ５Ａは、コンバータ５１Ａ、インバータ５２Ａ、同期制御部５３Ａを具備する。
【００２３】
同期制御部５３Ａは、Ａ系の電源系統２ＡとＢ系の電源系統２Ｂとの間で同期を確保するために、コンバータ５１Ａとインバータ５２Ａとのうちの少なくともインバータ５２Ａを制御する。
【００２４】
同期制御部５３Ａは、Ａ系のバイパス部４Ａ及びＢ系のバイパス部４Ｂと電気的に接続されている。この同期制御部５３Ａにおける同期動作は、下記の図２にて詳細に説明する。
【００２５】
本実施形態において、Ｂ系のＵＰＳ５Ｂは、上記のＡ系のＵＰＳ５Ａと同様の構成を持つ。具体的に説明すると、Ｂ系のＵＰＳ５Ｂは、コンバータ５１Ｂ、インバータ５２Ｂ、同期制御部５３Ｂを具備する。
【００２６】
同期制御部５３Ｂは、Ａ系の電源系統２ＡとＢ系の電源系統２Ｂとの間で同期を確保するために、コンバータ５１Ｂとインバータ５２Ｂとのうちの少なくともインバータ５２Ｂを制御する。
【００２７】
同期制御部５３Ｂは、Ａ系のバイパス部４Ａ及びＢ系のバイパス部４Ｂと電気的に接続されている。この同期制御部５３Ｂにおける同期動作は、下記の図３にて詳細に説明する。
【００２８】
図２は、本実施形態に係る無停電電源システム１に備えられているＡ系の同期制御部５３Ａの処理の一例を示すフローチャートである。
【００２９】
ステップＡ１において、同期制御部５３Ａは、Ａ系のバイパス部４Ａから電力が供給されているか否か判断する。
【００３０】
Ａ系のバイパス部４Ａから電力が供給されている場合、ステップＡ２において、同期制御部５３Ａは、Ａ系のＵＰＳ５Ａから供給される電力と、Ａ系のバイパス部４Ａから供給される電力とを同期させる。その後処理は、ステップＡ６に移動する。
【００３１】
Ａ系のバイパス部４Ａから電力が供給されていない場合、ステップＡ４において、同期制御部５３Ａは、Ｂ系のバイパス部４Ｂから電力が供給されているか否か判断する。
【００３２】
Ａ系のバイパス部４Ａから電力が供給されず、かつ、Ｂ系のバイパス部４Ｂから電力が供給されている場合、ステップＡ４において、同期制御部５３Ａは、Ａ系のＵＰＳ５Ａから供給される電力と、Ｂ系のバイパス部４Ｂから供給される電力とを同期させる。その後処理は、ステップＡ６に移動する。
【００３３】
Ａ系のバイパス部４Ａ及びＢ系のバイパス部４Ｂの双方から電力が供給されない場合、ステップＡ５において、同期制御部５３Ａは、自走運転を行う。その後処理はステップＡ６に移動する。
【００３４】
ステップＡ６において、同期制御部５３Ａは、処理を継続するか否か判断する。処理継続の場合には、この処理はステップＡ１に戻る。処理停止の場合には、終了する。
【００３５】
図３は、本実施形態に係る無停電電源システム１に備えられているＢ系の同期制御部５３Ｂの処理の一例を示すフローチャートである。このＢ系の同期制御部５３Ｂの処理は、上記の図２のＡ系の同期制御部５３Ａの処理と同様である。以下に具体的に説明する。
【００３６】
ステップＢ１において、同期制御部５３Ｂは、Ｂ系のバイパス部４Ｂから電力が供給されているか否か判断する。
【００３７】
Ｂ系のバイパス部４Ｂから電力が供給されている場合、ステップＢ２において、同期制御部５３Ｂは、Ｂ系のＵＰＳ５Ｂから供給される電力と、Ｂ系のバイパス部４Ｂから供給される電力とを同期させる。その後処理は、ステップＢ６に移動する。
【００３８】
Ｂ系のバイパス部４Ｂから電力が供給されていない場合、ステップＢ４において、同期制御部５３Ｂは、Ａ系のバイパス部４Ａから電力が供給されているか否か判断する。
【００３９】
Ｂ系のバイパス部４Ｂから電力が供給されず、かつ、Ａ系のバイパス部４Ａから電力が供給されている場合、ステップＢ４において、同期制御部５３Ｂは、Ｂ系のＵＰＳ５Ｂから供給される電力と、Ａ系のバイパス部４Ａから供給される電力とを同期させる。その後処理は、ステップＢ６に移動する。
【００４０】
Ｂ系のバイパス部４Ｂ及びＡ系のバイパス部４Ａの双方から電力が供給されない場合、ステップＢ５において、同期制御部５３Ｂは、自走運転を行う。その後処理はステップＢ６に移動する。
【００４１】
ステップＢ６において、同期制御部５３Ｂは、処理を継続するか否か判断する。処理継続の場合には、この処理はステップＢ１に戻る。処理停止の場合には、終了する。
【００４２】
図４は、Ａ系の同期制御部５３Ａの構成の一例を示すブロック図である。
【００４３】
例えば、同期制御部５３Ａは、プロセッサ９と記憶装置１０とを具備する。プロセッサ９は、記憶装置１０に記憶されているプログラムＰを実行する。このプログラムＰにしたがって、上記図２の処理が実行される。
【００４４】
なお、Ｂ系の同期制御部５３Ｂは、このＡ系の同期制御部５３Ａと同様の構成を持つとしてもよい。
【００４５】
同期制御部５３Ａ，５３Ｂは、ハードウェアにより実装されるとしてもよい。
【００４６】
図５は、本実施形態に係る無停電電源システム１の同期制御状態の一例を示すテーブルである。
【００４７】
Ａ系及びＢ系のバイパス部４Ａ，４Ｂの電力供給が正常の場合、Ａ系のＵＰＳ５ＡはＡ系のバイパス部４Ａに同期し、Ｂ系のＵＰＳ５ＢはＢ系のバイパス部４Ｂに同期する。
【００４８】
Ａ系のバイパス部４Ａの電力供給が異常であり、Ｂ系のバイパス部４Ｂの電力供給が正常の場合、Ａ系のＵＰＳ５ＡはＢ系のバイパス部４Ｂに同期し、Ｂ系のＵＰＳ５ＢはＢ系のバイパス部４Ｂに同期する。
【００４９】
Ａ系のバイパス部４Ａの電力供給が正常であり、Ｂ系のバイパス部４Ｂの電力供給が異常の場合、Ａ系のＵＰＳ５ＡはＡ系のバイパス部４Ａに同期し、Ｂ系のＵＰＳ５ＢはＡ系のバイパス部４Ａに同期する。
【００５０】
Ａ系及びＢ系のバイパス部４Ａ，４Ｂの電力供給が異常の場合、Ａ系及びＢ系のＵＰＳ５Ａ，５Ｂは自動運転する。
【００５１】
図６は、本実施形態に係る無停電電源システムの構成の変形例を示すブロック図である。
【００５２】
この無停電電源システム１１において、Ａ系の電源系統２Ａは、バイパス４Ａと複数のＵＰＳ５Ａとが並列に備えられている。切換部６Ａは、バイパス部４Ａと複数のＵＰＳ５Ａとのうちのいずれかからの電力をＳＴＳ３の第１の入力端に供給する。複数のＵＰＳ５Ａのそれぞれは、Ａ系のバイパス部４Ａ及びＢ系のバイパス部４Ｂと接続されている。
【００５３】
Ｂ系の電源系統２Ｂについては、Ａ系の電源系統２Ｂと同様の構成を持つ。
【００５４】
無停電電源システム１１は、Ａ系の電源系統２Ａ及びＢ系の電源系統２Ｂに加えて、さらに１以上の電源系統を具備するとしてもよい。
【００５５】
無停電電源システム１１は、複数のＳＴＳ３を備えるとしてもよい。
【００５６】
以上説明した本実施形態においては、Ａ系の電源系統２ＡとＢ系の電源系統２Ｂとの間に、共通の制御部を備える必要がない。したがって、Ａ系の電源系統２ＡとＢ系の電源系統２Ｂとの独立性を確保することができ、二重化構成を実現させることができる。
【００５７】
本実施形態においては、Ａ系のバイパス部４ＡとＢ系のバイパス部４Ｂとのうち少なくとも一方からの電力供給が正常であれば、Ａ系の電源系統２ＡとＢ系の電源系統２Ｂとの間で同期を確保することができ、無瞬断で電源系統の切換を行うことができる。
【００５８】
（第２の実施形態）
本実施形態においては、上記第１の実施形態に係る無停電電源システム１と、従来の電源システムとの相違点について説明する。なお、無停電電源システム１１と従来の電源システムとの相違点についても同様である。
【００５９】
図７は、従来の電源システムの第１の例を示すブロック図である。
【００６０】
この従来の電源システム１２は、ＵＰＳ１３Ａ，１３Ｂの出力端がＳＴＳ３の第１の入力端及び第２の入力端に接続されている。
【００６１】
この従来の電源システム１２は、ＵＰＳ１３Ａ，１３Ｂによって二重化されている。故障等により一方のＵＰＳ１３Ａの停電などが発生すると、ＵＰＳ１３Ｂが自走運転する。この場合、ＳＴＳ３の入力側でＵＰＳ１３Ａ，１３Ｂは非同期となる。したがって、ＵＰＳ１３ＢからＳＴＳ３を経由して給電される負荷８において、瞬断が発生する可能性が高い。
【００６２】
これに対して、上記第１の実施形態に係る無停電電源システム１では、Ａ系及びＢ系の電源系統２Ａ，２Ｂのうちの一方からの給電が停止した場合であっても、ＳＴＳ３に対する同期状態が確保され、負荷８に無瞬断で給電を行うことができる。
【００６３】
図８は、従来の電源システムの第２の例を示すブロック図である。
【００６４】
従来の電源システム１４は、Ａ系の電源系統、Ｂ系の電源系統、共通制御部１５、ＳＴＳ３、負荷８を具備する。
【００６５】
Ａ系の電源系統は、バイパス部４Ａ、ＵＰＳ１６Ａ、切換部６Ａを具備する。ＵＰＳ１６Ａの同期制御部１７Ａは、共通制御部１５から供給された電力（信号）に基づいて、同期制御を行う。
【００６６】
Ｂ系の電源系統は、Ａ系の電源系統と同様の構成である。
【００６７】
共通制御部１５は、バイパス部４Ａからの電力供給が正常な場合、このバイパス部４Ａからの電力を同期制御部１７Ａに供給する。また、共通制御部１５は、バイパス部４Ａからの電力供給が停止した場合、Ｂ系の電源系統又はＢ系のＵＰＳ１６Ｂの出力電力を同期制御部１７Ａに供給する。
【００６８】
さらに、共通制御部１５は、バイパス部４Ｂからの電力供給が正常な場合、このバイパス部４Ｂからの電力を同期制御部１７Ｂに供給する。また、共通制御部１５は、バイパス部４Ｂからの電力供給が停止した場合、Ａ系の電源系統又はＡ系のＵＰＳ１６Ａの出力電力を同期制御部１７Ｂに供給する。
【００６９】
このように、従来の電源システム１４は、Ａ系の電源系統とＢ系の電源系統との間に共通制御部１５が備えられる。このように２つの系に共通の装置が備えられた場合、２重化構成を実現することが困難となる。
【００７０】
図９は、従来の電源システム１４の同期制御状態の一例を示すテーブルである。
【００７１】
Ａ系及びＢ系のバイパス部４Ａ，４Ｂの電力供給が正常の場合、Ａ系のＵＰＳ１６ＡはＡ系のバイパス部４Ａに同期し、Ｂ系のＵＰＳ１６ＢはＢ系のバイパス部４Ｂに同期する。
【００７２】
Ａ系のバイパス部４Ａの電力供給が異常であり、Ｂ系のバイパス部４Ｂの電力供給が正常の場合、Ａ系のＵＰＳ１６ＡはＢ系の電源系統の出力又はＢ系のＵＰＳ１６Ｂの出力に同期し、Ｂ系のＵＰＳ１６ＢはＢ系のバイパス部４Ｂに同期する。
【００７３】
Ａ系のバイパス部４Ａの電力供給が正常であり、Ｂ系のバイパス部４Ｂの電力供給が異常の場合、Ａ系のＵＰＳ１６ＡはＡ系のバイパス部４Ａに同期し、Ｂ系のＵＰＳ１６ＢはＡ系の電源系統の出力又はＡ系のＵＰＳ１６Ａの出力に同期する。
【００７４】
Ａ系及びＢ系のバイパス部４Ａ，４Ｂの電力供給が異常の場合、設定に依存するが、例えば、Ａ系ＵＰＳ１６Ａは自動運転し、Ｂ系のＵＰＳ１６ＢはＡ系の電源系統の出力又はＡ系のＵＰＳ１６Ａに同期する。
【００７５】
上記の図８及び図９で説明された従来の電源システム１４に対し、上記第１の実施形態に係る無停電電源システム１では、共通制御部１５を備える必要がなく、Ａ系及びＢ系の双方が独立の構成及び独立の同期制御処理により無瞬断切換を行う。
【００７６】
上記第１の実施形態において、全ての入力電源（商用電源７）が停電した場合には、全てのＵＰＳ５Ａ，５Ｂがバッテリ運転を行う。この場合、負荷８の容量によってバックアップ時間が異なるが、いつかはシステム停電となる。そこで、上記第１の実施形態においては、２つの電源系統２Ａ，２Ｂのうちの一方の入力電源の停電を同期制御対象とし、一方の入力電源が停電した場合に、正常な他方の入力電源に同期するよう、一方の電源系統における同期制御対象を変更する。
【００７７】
上記第１の実施形態の同期制御部５３Ａ，５３Ｂは、同期制御対象の電力（信号）として、自系のバイパス入力電圧と他系のバイパス入力電圧とを取得し、この同期制御対象の電力を切換可能である。上記第１の実施形態において、例えば、Ａ系停電時、Ａ系の同期制御部５３Ａは、Ｂ系のバイパス入力電圧を取得する。例えば、Ｂ系停電時、Ｂ系の同期制御部５３Ｂは、Ａ系のバイパス入力電圧を取得する。
【００７８】
従来の電源システム１４のように、同期制御部１７Ａ，１７Ｂが他系のＵＰＳ出力側電圧を取得する場合、Ａ系及びＢ系の双方で停電が発生すると、Ａ系の制御とＢ系の制御とがハンチングする。
【００７９】
これに対して、上記第１の実施形態においては、同期制御部５３Ａ，５３Ｂが他系のＵＰＳ出力側電圧ではなくバイパス入力電圧を取得する。上記第１の実施形態において、Ａ系及びＢ系の双方で停電が発生すると、同期制御対象がなくなり、同期制御部５３Ａ，５３Ｂは自動運転する。この結果、上記第１の実施形態においては、ハンチングの発生を防止することができる。
【００８０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８１】
１，１１…無停電電源システム、２Ａ…Ａ系の電源系統、２Ｂ…Ｂ系の電源系統、３…双方向無瞬断切換装置、４Ａ，４Ｂ…バイパス部、５Ａ，５Ｂ…無停電電源装置、５１Ａ，５１Ｂ…コンバータ、５２Ａ，５２Ｂ…インバータ、５３Ａ，５３Ｂ…同期制御部、６Ａ，６Ｂ…切換部、７…商用電源、８…負荷、９…プロセッサ、１０…記憶装置、Ｐ…プログラム。
【図１】
2012186959.tif 000003
【図２】
2012186959.tif 000004
【図３】
2012186959.tif 000005
【図４】
2012186959.tif 000006
【図５】
2012186959.tif 000007
【図６】
2012186959.tif 000008
【図７】
2012186959.tif 000009
【図８】
2012186959.tif 000010
【図９】
2012186959.tif 000011